(57)【要約】  本発明は、ユーザインタフェース画面を有するモバイルデバイスであって、複製装置と無線接続するように構成され、複製装置にドキュメントを送信するためのモバイルアプリケーションがロードされたモバイルデバイス上でドキュメントを管理する方法であって、ユーザインタフェース画面上の最大でデスクトップ領域全体でモバイルアプリケーションによってドキュメントを開くステップと、ドキュメントをモバイルデバイスのメモリに記憶するステップと、ユーザインタフェース画面上のモバイルアプリケーションによってドキュメントを閉じるステップと、ドキュメントが閉じられた後、表現を使用してデスクトップ領域にモバイルアプリケーションによって記憶されているドキュメントを自動的に表示するステップとを含む方法に関する。本発明はさらに、本発明の方法を実行するためのモバイルデバイスに関する。
2015533242.tif 000002
【特許請求の範囲】
【請求項１】
ユーザインタフェース画面を有し、複製装置と無線接続するように構成されたモバイルデバイス上で、モバイルアプリケーションとして実行されるドキュメントを管理する方法であって、
ユーザインタフェース画面上でモバイルアプリケーションを開くステップと、
ユーザインタフェース画面上にデスクトップ領域を表示するステップと、
モバイルアプリケーションの以前のセッションで開かれたドキュメントへのリンクをストレージからロードするステップと、
デスクトップ領域に、ロードされた前記ドキュメントへのリンクに関連付けられた表現を表示するステップと
を含む方法。
【請求項２】
表現は、デスクトップ領域の任意の位置に移動可能である、請求項１に記載の方法。
【請求項３】
最大でデスクトップ領域のサイズに等しいサイズでデスクトップ領域上でモバイルアプリケーションのドキュメントを開くステップと、開かれたドキュメントへのリンクを永久的に格納するステップと、モバイルアプリケーションによってドキュメントを閉じるステップと、モバイルアプリケーションの以前のセッションですでに格納されているドキュメントへのリンクに関連付けられた表現の他に、格納されるドキュメントへのリンクに関連付けられた表現を含むデスクトップ領域を自動的に表示するステップとをさらに含む、請求項１に記載の方法。
【請求項４】
モバイルアプリケーションのデスクトップ領域のドキュメントの表現をクリックすることによって、ドキュメントを選択するステップを含む、請求項１に記載の方法。
【請求項５】
選択されたドキュメントの表現をクリックすることによって、最大でデスクトップ領域全体で、選択されたドキュメントのプレビューを開くステップを含む、請求項４に記載の方法。
【請求項６】
デスクトップ領域の近くに複製設定領域および／または複製起動領域を表示するステップと、複製駆動領域をクリックするステップと、モバイルアプリケーションによってドキュメントを閉じるステップとを含み、モバイルアプリケーションによってドキュメントを閉じるステップは、選択された表現に対応するドキュメントを複製装置に提出するステップを含む、請求項５に記載の方法。
【請求項７】
表現は、表現のグループを形成するためにすでに存在している少なくとも１つの他の表現と重なる、隣接する、もしくは近接する位置に移動可能である、請求項１に記載の方法。
【請求項８】
表現のグループ全体を選択するために、入力手段から表現のグループを囲むジェスチャを受信するステップを含む、請求項７に記載の方法。
【請求項９】
コンピュータに請求項１から請求項８のいずれか一項に記載の方法を実行するように指示するように構成されたコンピュータ実行可能なプログラムコードを含む記録媒体。
【請求項１０】
ユーザインタフェース画面を有し、モバイルアプリケーションの以前のセッションでモバイルアプリケーションによって開かれたドキュメントの表現を表示するデスクトップ領域、複製設定領域および／または複製起動領域を表示するモバイルアプリケーションがロードされたモバイルデバイスであって、複製起動領域をクリックすると、選択された表現に対応するドキュメントが無線接続されている複製装置に提出されるモバイルデバイス。
【発明の詳細な説明】
【技術分野】
【０００１】
本発明は、ユーザインタフェース画面を有し、複製装置と無線接続するように構成されたモバイルデバイス上で、モバイルアプリケーションとして実行されるドキュメントを管理する方法であり、ユーザインタフェース画面上でモバイルアプリケーションを開くステップを含む方法に関する。
【背景技術】
【０００２】
近年では、モバイルデバイスは、通常、シングルタッチもしくはマルチタッチのジェスチャに対して反応するユーザインタフェース画面を備える。画面のタッチは、人の指、ペンもしくはスタイラスのようなタッチデバイスを使用して行われる。さらに、クリックという表現は、画面のタッチも含む。クリックも同様に、ペンもしくはマウスクリックで実現されてもよい。マウスクリックの場合、マウスデバイスはモバイルデバイスに接続可能である。モバイルデバイスは、携帯電話、タブレット型パーソナルコンピュータ、ノートブックコンピュータ、ラップトップコンピュータなどとしてもよい。
【０００３】
写真、デジタル画像、ウェブページ、電子文書などのようなデジタルドキュメントを開くためのモバイルアプリケーションがロードされたモバイルデバイスが周知である。このようなモバイルアプリケーションは、「アプリ（ａｐｐ）」としても周知である。アプリは、アプリ専用のストレージ（アプリストアとも呼ばれる）にアップロード可能である。モバイルデバイスのユーザは、自分のモバイルデバイスで使用するために、アプリストアからアプリをダウンロードすることができる。このようなモバイルアプリケーションの例として、電子クラウドサービス（Ｄｒｏｐｂｏｘ（ＴＭ）もしくはｂｏｘ．ｎｅｔなどのファイルのオンラインストレージ）にアクセスすることができるモバイルアプリケーション、ドキュメントフォーマットビューアモバイルアプリケーション、フォトギャラリーモバイルアプリケーションのようなディスプレイモバイルアプリケーションなどがある。モバイルアプリケーションは、通常、モバイルデバイスのデスクトップ上にまとめられる。モバイルデバイスのデスクトップは、モバイルデバイスを起動する時に開かれるウインドウのことである。モバイルデバイスのデスクトップは、ユーザによって背景として認識される。デスクトップは、例えば、インストールされたそれぞれのモバイルアプリケーション用のアイコンを含む。いくつかのモバイルアプリケーションでは、デジタルドキュメントはユーザによって要求され、ユーザは（例えば、適切なメニュー内のＯｐｅｎ  Ｉｎ機能によって）別のモバイルアプリケーション内のファイルを開くことができる。本発明の他のモバイルアプリケーションは、デジタルドキュメントを視聴する、もしくは印刷するために要求され、その後、デジタルドキュメントを開く。上記の他のモバイルアプリケーションは、ユーザにデジタルドキュメントをより詳細に表示すること、またはデジタルドキュメントのページを閲覧することを目的としたアプリケーションと言える。また、上記の他のモバイルアプリケーションは、プリンタのような複製装置によってデジタルドキュメントを複製することを目的としたアプリケーションとも言える。このような他のモバイルアプリケーション内のドキュメントを開く時に、ドキュメントはさらに、モバイルデバイスのメモリもしくはウェブクラウドの記憶位置に記憶される。モバイルデバイスは、複製装置に無線接続され、上記の他のモバイルアプリケーションを使用して印刷ジョブを複製装置に送信することができる。上記の他のモバイルアプリケーションは、印刷用のモバイルアプリケーションである場合、通常、デジタルドキュメントを複製装置に送信するための複製起動ボタンを有する。上記の他のモバイルアプリケーションがデジタルドキュメントを複製装置に送信すると、デジタルドキュメントはモバイルアプリケーションから消えて、モバイルアプリケーションが閉じられ、デジタルドキュメントがモバイルデバイスのＲＡＭメモリから除去される。
【０００４】
同じドキュメントを再び印刷しなければならない場合には、手順全体を繰り返す必要がある。このことは、特に、異なる時点で多くのデジタルファイルを印刷したいユーザにとっては面倒なことである。
【発明の概要】
【発明が解決しようとする課題】
【０００５】
本発明の目的は、デジタルドキュメントを印刷するための上記モバイルアプリケーションがロードされたモバイルデバイスを使用する際の上述したような不利点を克服することである。
【課題を解決するための手段】
【０００６】
上記目的は、プリアンブルに記載した方法であって、ユーザインタフェース画面上にデスクトップ領域を表示するステップと、モバイルアプリケーションの以前のセッションで開かれたドキュメントへのリンクをストレージからロードするステップと、ロードされたドキュメントへのリンクに関連付けられた表現をデスクトップ領域上に表示するステップとをさらに含む方法によって達成される。
【０００７】
以前に開かれたドキュメントとは、現在のドキュメントを開いている時点より前の時点でモバイルアプリケーションによって開かれたドキュメントのことである。ロードされた以前に開かれたドキュメントへのリンクに関連付けられた表現をデスクトップ領域上に表示することによって、モバイルアプリケーションのデスクトップ領域で以前に開かれたドキュメントの履歴が利用可能になる。さらに、以前に開かれたドキュメントは、例えば、デスクトップ領域上のドキュメントに対応する表現をクリックすることで、再度簡単に開かれる。複数のドキュメントが開かれて、再び閉じられた場合、デスクトップ領域は複数の表現を含むことになる。これらの表現それぞれは、モバイルアプリケーションによって以前に開かれたデジタルドキュメントを表している。デスクトップ領域に表現されているデジタルドキュメントへの複数のリンクは、モバイルデバイスのメモリもしくはウェブクラウドのメモリに記憶されてもよい。また、対応するドキュメントがこれらのメモリに記憶されてもよい。このことは、これらのメモリはモバイルデバイスの電源オフの影響を受けないように構成することができるので、有利である。モバイルデバイスの電源が切られ、再び電源が入れられると、デジタルドキュメントはモバイルアプリケーションを使用して再び開かれ、このメモリに含まれるリンクがフェッチされ、モバイルデバイスの電源を切る前にデスクトップ領域に存在していた表現を含むデスクトップ領域が表示される。ドキュメントの表現は、サムネイル画像、アイコン、もしくはファイル名にすることができる。サムネイル画像は、ドキュメントの最初のページもしくは最初の画像を含むことができる。
【０００８】
一実施形態によれば、表現は、デスクトップ領域の任意の位置に移動可能である。特に、デスクトップ領域上でモバイルアプリケーションによって決定される位置に新規表現が格納される時に、ユーザは希望通りに表現を順序付けしたい場合がある。新規位置もモバイルデバイスのメモリに記憶されてもよい。表現は、デスクトップ領域上のランダムに決定された位置に表示されてもよい。このことは、ドキュメントを開く際に特定の順序が予め決定されておらず、デスクトップ領域が順序付けの要求を満たすように構成される場合に有利である。
【０００９】
一実施形態によれば、本発明の方法はさらに、最大でデスクトップ領域のサイズに等しいサイズでデスクトップ領域上でモバイルアプリケーションのドキュメントを開くステップと、開かれたドキュメントへのリンクを永久的に格納するステップと、モバイルアプリケーションによってドキュメントを閉じるステップと、リンクがモバイルアプリケーションの以前のセッションですでに格納されているファイルの表現の他に、リンク先のドキュメントの表現を含むデスクトップ領域を自動的に表示するステップとを含む。さらに別の実施形態では、ドキュメントは、モバイルデバイスでよく使用される「ｏｐｅｎ  ｉｎ」機能性を使用して開かれる。ドキュメントが再び閉じられると、モバイルアプリケーションのデスクトップ領域には、以前に開かれたドキュメントの表現が現れる。
【００１０】
一実施形態によれば、本発明の方法は、モバイルアプリケーションのデスクトップ領域のドキュメントの表現をクリックすることによって、ドキュメントを選択するステップを含む。デスクトップ領域に複数の表現がある場合、それぞれの表現はユーザによって選択される。表現が選択されると、表現は視聴もしくは印刷のようなさらなる動作が可能になる。表現が選択されると、表現はその形式もしくは体裁、例えば、デジタル画像周囲の色付き境界の色もしくは体裁などが変化する。
【００１１】
一実施形態によれば、本発明の方法は、選択されたドキュメントの表現をクリックすることによって、最大でデスクトップ領域全体で、選択されたドキュメントのプレビューを開くステップを含む。表現を選択する最初のクリックと、選択されたドキュメントのプレビューを開く２番目のクリックは、いわゆるダブルクリックのような形になるように組み合わされて行われてもよい。ドキュメントの表現としてサムネイル画像が使用される場合、プレビューを開くステップは、サムネイル画像を拡大することによって行われる。拡大度合いは変化し、デスクトップ領域のサイズによって決まる。最大拡大は、デスクトップ領域全体に表示されるようにデジタルドキュメントを拡大することによって達成される。
【００１２】
一実施形態によれば、本発明の方法は、デスクトップ領域の近くに複製設定領域および／または複製起動領域を表示するステップと、複製駆動領域をクリックするステップと、モバイルアプリケーションによってドキュメントを閉じるステップとを含み、モバイルアプリケーションによってドキュメントを閉じるステップは、選択された表現に対応するドキュメントを複製装置に提出するステップを含む。モバイルアプリケーションは、デジタルドキュメントの複製を目的としているので、デスクトップ領域の近くもしくは傍に複製設定領域および複製起動領域を表示する。デジタルドキュメントが対応する表現をクリックすることによって選択されて、対応する表現をさらにクリックすることによって開かれと、ユーザはデジタル画像を印刷するために複製起動領域をタッチすることができる。デジタルドキュメントの複製時に、デスクトップ領域にドキュメントのプレビューを表示することができる。デジタルドキュメントが複製されると、デスクトップ領域でプレビューが閉じられ、プレビューが表示される前にデスクトップ領域に存在していた表現が再び表示される。さらに、開いて閉じたばかりのデジタルドキュメントの追加表現が、デジタルドキュメントを開く前にデスクトップ領域にまだ表示されていなければ、表示される。追加表現は、デスクトップ領域上の位置で、モバイルデバイスの制御ユニットによってランダムに決定された位置に現れてもよい。デスクトップ領域上の表現の位置は、モバイルデバイスのメモリにリンクと一緒に記憶され、モバイルデバイスを再始動させる時に回復される。さらに、複製設定領域は、複製起動領域を起動する前に調整される。
【００１３】
一実施形態によれば、表現は、表現のグループを形成するためにすでに存在している少なくとも１つの他の表現と重なる、隣接する、もしくは近接する位置に移動可能である。表現をグループ化することによって、ユーザはデジタルドキュメントのグループを識別することができる。また、それぞれのグループは、グループに適用されるジェスチャに対して反応することができる。
【００１４】
一実施形態によれば、本発明の方法は、表現のグループ全体を選択するために、入力手段から表現のグループを囲むジェスチャを受信するステップを含む。グループ全体が視聴もしくは印刷のために選択されてもよい。代替形態では、表現は、グループ内の他の表現の少なくとも１つと部分的に重なる場合にグループを形成する。このようなグループの表現は、視覚的につながったまとまりを形成する。グループの全ての表現を選択するジェスチャは、グループの表現の１つをクリックするだけでよい。
【００１５】
本発明はさらに、コンピュータに上述の実施形態のいずれかの方法を実行するように指示するように構成されたコンピュータ実行可能なプログラムコードを含む記録媒体に関する。
【００１６】
本発明はさらに、ユーザインタフェース画面を有し、モバイルアプリケーションの以前のセッションでモバイルアプリケーションによって開かれたドキュメントの選択可能な表現を表示するデスクトップ領域と、複製設定領域および／または複製起動領域とを表示するモバイルアプリケーションがロードされたモバイルデバイスであって、複製起動領域をクリックすると、選択された表現に対応するドキュメントが無線接続されている複製装置に提出されるモバイルデバイスに関する。
【００１７】
添付図面を参照しながら本発明の方法についてより詳細に説明する。
【図面の簡単な説明】
【００１８】
【図１Ａ】モバイルデバイスのユーザインタフェース画面の外面を示した図である。
【図１Ｂ】モバイルデバイスの内部の一部を示した図である。
【図２Ａ】電子メールモバイルアプリケーションが開かれた時のモバイルデバイスのユーザインタフェース画面を示した図である。
【図２Ｂ】電子メールメッセージに添付されているデジタルドキュメントが本発明のモバイルアプリケーションで開かれる時のモバイルデバイスのユーザインタフェース画面を示した図である。
【図３Ａ】本発明のモバイルアプリケーションがユーザインタフェース画面上のデスクトップ領域でデジタルドキュメントを開いた時のモバイルデバイスのユーザインタフェース画面を示した図である。
【図３Ｂ】デジタルドキュメントが閉じられた時もしくはモバイルアプリケーションが直接開かれた時の図３Ａと同じデスクトップ領域を示した図である。
【図４】複製システムに無線接続されたモバイルデバイスの構成を示した図である。
【図５】本発明の一実施形態の方法のフロー図である。
【図６】本発明の別の実施形態の方法のフロー図である。
【図７】本発明の別の実施形態の方法のフロー図である。
【図８】モバイルデバイスのユーザインタフェース画面上のデスクトップ領域で表現のグループを囲む囲みジェスチャを示した図である。
【発明を実施するための形態】
【００１９】
図１Ａは、モバイルデバイス１のユーザインタフェース画面２を示した図である。ユーザインタフェース画面は、モバイルデバイス１にロードされたモバイルアプリケーション用の複数のアイコン５ａ、５ｂ、５ｃ、５ｄ、５ｅを示している。アイコンが集められたウインドウは、モバイルデバイスのデスクトップとしても周知である。これは、本発明のモバイルアプリケーションのデスクトップ領域と同じものではない。このデスクトップ領域は、デジタルドキュメントがモバイルアプリケーションで開かれた後に表示されるものである。説明上の理由で、第１のアイコン５ａ、第３のアイコン５ｃ、第４のアイコン５ｄ、および第５のアイコン５ｅは、デジタルドキュメントを視聴および／または印刷するために開くことができるモバイルアプリケーションを表している。第２のアイコン５ｂは、モバイルデバイス１上にロードされた電子メールモバイルアプリケーションを表している。
【００２０】
図１Ｂは、モバイルデバイス１の内部の一部を示した図である。モバイルデバイス１は、モバイルアプリケーション、アイコン、表現、およびデジタルドキュメントを記憶するためのメモリ３、モバイルデバイスを制御するための制御ユニット４、および外部デジタル世界に対して信号を送受信するための送受信モジュール２０を備える。
【００２１】
図２Ａは、第２のアイコン５ｂに対応する電子メールモバイルアプリケーションが開かれた時のモバイルデバイス１のユーザインタフェース画面２を示した図である。電子メールモバイルアプリケーションは、多数の電子メールメッセージを表示する。デジタルドキュメントＡは、第２の電子メールメッセージに添付されている。第２の電子メールメッセージをクリックすると、電子メールメッセージが開かれる。デジタルドキュメントＡは、ファイルアイコン（図示せず）もしくはファイルリンクで表されてもよい。ユーザがデジタルドキュメントＡを開きたい場合、ファイルアイコンもしくはファイルリンクをクリックすればよい。
【００２２】
図２Ｂは、第２の電子メールメッセージに添付されたデジタルドキュメントＡを表すアイコンもしくはファイルリンクがクリックされた時のモバイルデバイス１のユーザインタフェース画面２を示した図である。デジタルドキュメントを開くことができる表示アイコン５ａ、５ｃ、５ｄ、５ｅに対応するモバイルアプリケーションの選択リスト２１を表示するために、ユーザインタフェース画面２にポップアップメニューが現れる。ユーザは、表示されたリスト２１内のモバイルアプリケーションの１つを選択するように要求される。ユーザがリスト２１内のエントリの１つ、例えば、第１のアイコン５ａに対応する第１のモバイルアプリケーションをクリックすると、第１のアイコン５ａに対応する第１のモバイルアプリケーションでデジタルドキュメントが開かれることになる。
【００２３】
図３Ａは、本発明の第１のアイコン５ａに対応するモバイルアプリケーションがユーザインタフェース画面２上のモバイルアプリケーション５ａ１内のデスクトップ領域５ａ１でデジタルドキュメントＡを開いた時のモバイルデバイス１のユーザインタフェース画面２を示した図である。デジタルドキュメントは、画像６として表示される。デスクトップ領域５ａ１の近くに、複製設定領域５ａ２および複製起動領域５ａ３がモバイルアプリケーション５ａ内に表示される。ユーザは、複製設定領域５ａ２内で複製設定を変更することができる。複製設定は、モバイルデバイス１に無線接続された複製装置から一部が受信されてもよい（さらに図４を参照）。デスクトップ領域５ａ１に画像６として表示されたデジタルドキュメントを複製するために、複製起動領域５ａ３をクリックしてもよい。
【００２４】
図３Ｂは、デジタルドキュメントが閉じられた時の図３Ａと同じデスクトップ領域５ａ１を示した図である。この実施形態では、デジタルドキュメントＡは、図３Ａに示されている複製起動領域５ａ３をクリックする時もしくはクリックした後に閉じられる。代替形態によれば、デジタルドキュメントＡは、画像６をデジタルドキュメントＡを表すことができるサムネイル画像の縮小サイズになるようにピンチインすることによって閉じられる。デジタルドキュメントＡを閉じると、モバイルデバイス１のメモリにデジタルドキュメントへのリンクが記憶され、デスクトップ領域５ａ１上に表現１１が作成される。デスクトップ領域５ａ１はさらに、以前に閉じられたデジタルドキュメントを表す表現７、８、９、１０を含む。表現７、８、９、１０、１１のうちの１つをクリックすることによって、対応するデジタルドキュメントは、図３Ａに示されているデスクトップ領域５ａ１の画像６と同じサイズで表示される。本発明の一実施形態によれば、作成された表現１１は、デスクトップ領域５ａ１上のランダムに決定された位置に現れる。しかし、ユーザは、それぞれの表現７、８、９、１０、１１をデスクトップ領域５ａ１上の任意の位置に移動することができる。タッチスクリーンの場合、ユーザは、探しだしやすいようにドキュメントを整理するために、表現を所望の位置にドラッグすることができる。デスクトップ領域５ａ１で表現を移動することによって、視覚的につながった、すなわち、部分的に重なった表現のグループが作成される。例えば、図３Ｂは、部分的に重なった表現９、１０のグループを示している。この表現のグループ化は、例えば、図８に示されているように、デジタルドキュメントを複数選択しやすくするために使用することができる。また、図３Ｂは、図１Ａに示されている対応アイコン５ａをクリックすることでモバイルアプリを直接開いた時のデスクトップ領域５ａ１、複製設定領域５ａ２、および複製起動領域５ａ３を示した図である。ユーザは、モバイルアプリケーションにすでに存在しているドキュメントの表現の概観をすぐに見ることができる。表現のそれぞれは、その表現をクリックすることで選択可能である。
【００２５】
図８は、モバイルデバイス１のユーザインタフェース画面２上のデスクトップ領域５ａ１上でこの表現９、１０のグループを囲む囲みジェスチャ１４を示した図であり、この場合、ユーザインタフェース画面２はタッチスクリーンである。囲みジェスチャ１４は、視覚的につながった表現全体を覆うおよび／またはその周囲の円の一部もしくは楕円の一部を囲むシングルタッチアンドドラッグジェスチャとすることができる。囲みジェスチャは、選択する全てのドキュメントを囲む閉路としてもよい。囲みジェスチャ１４はタッチスクリーン２によって感知され、モバイルデバイス１の制御ユニットによってグループの全ての表現９、１０が決定され、グループの表現９、１０が選択される。複製起動領域５ａ３をクリックすることによって、選択された表現９、１０に対応する全てのドキュメントが複製される。代替形態では、表現のグループをシングルクリックすることで囲みジェスチャと同じ動作を実現することができる。この実施形態では、最初に１つの表現を視覚的につながらなくなるほどグループから離れるようにドラッグすることで１つの表現を孤立させることによって、視覚的につながった表現のグループから１つの表現が選択されてもよい。また、囲みジェスチャは、全てが視覚的につながっているとは限らない複数の表現に適用されてもよい。モバイルデバイスの制御ユニットは、選択しようとする表現が常駐しなければならない領域を決定する。この領域は、例えば、囲みジェスチャ１４で囲まれた円形部分もしくは楕円形部分および囲みジェスチャ１４が適用されるユーザインタフェース画面２の一部とすることができる。ユーザは、常に、ジェスチャがモバイルデバイスの制御ユニットによって解釈された後に、どの表現が選択されたかを見てチェックすることができる。囲みジェスチャによる選択の実行は、モバイルアプリケーションの外側で、例えば、オペレーティングシステムのレベルで行われることにより、囲みジェスチャが他のモバイルアプリケーションで、ユーザインタフェース画面上の表現以外の他のデジタルオブジェクトに適用されるようにしてもよい。
【００２６】
図４は、ネットワークＮに接続されたワイヤレスフィディリティルータ１８Ｄに対して無線接続１９されたモバイルデバイス１の構成を示した図である。複製システム１５も同様に、ネットワークＮに接続され、ネットワークＮ経由でワイヤレスフィディリティルータ１８Ｄから信号を受信するように構成される。複製システム１５は、制御手段１３、例えば、プロセッサとメモリ１７とを備えたコンピュータシステムに接続された表示手段１２を備えてもよい。制御手段１３は、１つの筐体内で表示手段１２と統合してもよい。表示手段１２は、タッチスクリーンとしてもよい。モバイルデバイス１は、図４に示されているように、接続１９およびワイヤレスフィディリティルータ１８ＤおよびネットワークＮによって、制御手段１３に間接的に接続される。複製システム１５は、多機能プリンタ、スモールフォーマットプリンタ、もしくはワイドフォーマットプリンタとしてもよい。複製システム１５は、ネットワークＮ経由で接続されたワークステーション１８Ａ、１８Ｂ、１８Ｃで作業しているユーザにネットワーク接続１６を介して利用可能になる。ワークステーション１８Ａ、１８Ｂ、１８Ｃは、ワイヤレスフィディリティルータ１８Ｄを介してネットワークＮに無線接続されてもよい。ユーザは、ワークステーション１８Ａ、１８Ｂ、１８Ｃからドキュメントのセットを含む印刷ジョブを複製システム１５の制御手段１３に送信することができる。制御手段１３は、印刷ジョブを記憶するための記憶手段１７を含む。表示手段１２は、印刷ジョブを表す表現のスクロール可能なリストを使用して印刷ジョブを表示し、スクロール可能なリストから表現を選択することによって印刷ジョブを選択するのに適している。
【００２７】
制御手段１３は、印刷ジョブをキューに入れて、印刷キューが空であるか否かをチェックし、印刷するために複製システム１５の印刷エンジンに、キューに入れられた印刷ジョブからのドキュメントを提出するのに適している。制御手段１３は、少なくとも複製システム１５によってドキュメントが完全に印刷されてしまうまでの期間、印刷ジョブのドキュメントを記憶するための記憶手段１７を備える。図４に示されるように、モバイルデバイス１から無線接続１９およびワイヤレスフィディリティルータ１８Ｄを介して印刷ジョブが複製システム１５に到着すると、印刷ジョブは制御手段１３内に記憶される。
【００２８】
図５は、本発明の一実施形態の方法のフロー図である。
【００２９】
本発明の方法の第１のステップＳ５１０において、モバイルデバイス１のユーザインタフェース画面２上でモバイルアプリケーションが開かれる。第２のステップＳ５２０において、ユーザインタフェース画面２上にデスクトップ領域５ａ１が表示される。第３のステップＳ５３０において、デスクトップ領域５ａ１に、ドキュメントへのリンクに対応する少なくとも１つの表現が表示される。少なくとも１つの表現は、モバイルアプリケーションの以前のセッションの１つで開かれたドキュメントに関連付けられた表現である。
【００３０】
図６は、本発明の別の実施形態の方法のフロー図である。
【００３１】
本発明の方法の第１のステップＳ６１０において、モバイルデバイス１のユーザインタフェース画面２上のモバイルアプリケーション５ａのデスクトップ領域５ａ１でデジタルドキュメントが開かれる（図３Ａ参照）。最大でデスクトップ領域５ａ１全体に、デジタルドキュメントの第１の画像が表示される。デジタルドキュメントが複数の画像のドキュメントである場合、画像全体をナビゲートするために第１の画像のエッジにナビゲーション手段が見えるようにしてもよい。あるいは、画像をそれぞれスワイプするために、タッチスクリーン上でスワイプジェスチャが使用されてもよい。
【００３２】
第２のステップＳ６２０において、モバイルデバイス１のメモリもしくは外部メモリにドキュメントへのリンクが記憶される。外部メモリは、接続されているネットワークもしくは接続されているデジタルクラウドストレージに存在してもよい。第１のステップＳ６１０および第２のステップＳ６２０の実行順序は変わってもよく、これらのステップは、モバイルデバイス１によって連続してもしくは同時に処理されてもよい。
【００３３】
第３のステップＳ６３０において、デスクトップ領域５ａ１でドキュメントが閉じられる。このステップは、複製起動領域５ａ３をクリックすることで実現され、ドキュメントは複製装置に提出されて複製されうる。ドキュメントは、複製された後、閉じられて、デスクトップ領域５ａ１で表現のサイズに最小化されてよい。また、第３のステップＳ６３０は、タッチスクリーンである場合に、ユーザがドキュメントの視聴のみをしたい時に画像６ｂをピンチインすることで実現される場合もある。したがって、第３のステップＳ６３０は、表示されているドキュメントを最大でデスクトップ領域５ａ１全体のサイズからデジタルドキュメントを表すサムネイル画像に最小化するステップとして解釈されうる。
【００３４】
第４のステップＳ６４０において、デスクトップ領域５ａ１に表現が表示される。表現は、ドキュメントを表している。表現は、記憶されているドキュメントへのリンクを使用してフェッチされる。この表現は、ドキュメントが閉じられた後に現れる。表現は、サムネイル画像、アイコン、もしくはファイル名にすることができる。一実施形態では、デスクトップ領域５ａ１における表現の位置はランダムに決定される。ユーザは、表現をデスクトップ領域５ａ１上の任意の位置に移動もしくはドラッグすることができる。別の実施形態では、デスクトップ領域５ａ１でスワイプ操作することでデスクトップ領域５ａ１の境界をパンして、表現を配置するための「空き」スペースをより多く作成することができる。デスクトップ領域５ａ１のどの部分が現在見えているのかを示すために、デスクトップ領域５ａ１の上側、下側、左側、および右側にインジケータが配置されてもよい。これは、デスクトップ領域５ａ１にすでに多くの表現が存在している場合、もしくはユーザの希望通りに新規グループの表現を作成しなければならない場合に有利である。デスクトップ領域５ａ１上の表現ならびに表現の位置および対応するドキュメントは、モバイルデバイス１の電源を切って電源を入れた場合に、同じ位置の同じ表現を表示したデスクトップ領域５ａ１をロードすることができるように、モバイルデバイス１のメモリ３に記憶されてもよい。
【００３５】
図７は、本発明の別の実施形態の方法のフロー図である。本発明の方法の第１のステップＳ７１０において、モバイルデバイス１のユーザインタフェース画面２上のデスクトップ領域５ａ１でデジタルドキュメントが開かれる（図３Ａ参照）。最大でデスクトップ領域５ａ１全体に、デジタルドキュメントの第１の画像が表示される。デジタルドキュメントが複数の画像のドキュメントである場合、画像全体をナビゲートするために第１の画像のエッジにナビゲーション手段が見えるようにしてもよい。あるいは、画像をそれぞれスワイプするために、タッチスクリーン上でスワイプジェスチャが使用されてもよい。表示されているデジタルドキュメントは、タッチスクリーンである場合に、デスクトップ領域５ａ１上の表示されているデジタルドキュメントにピンチアウトもしくはスプレッド操作を適用することで部分的に拡大される。これは、特にデジタルドキュメントの特定の部分を視聴するのに有利であり、また複製の前にデジタルドキュメントの画質をチェックするのに有利である。
【００３６】
第２のステップＳ７２０において、モバイルデバイス１のメモリもしくは外部メモリにデジタルドキュメントへのリンクが記憶される。外部メモリは、接続されているネットワークもしくは接続されているデジタルクラウドストレージに存在してもよい。
【００３７】
第３のステップＳ７３０において、デスクトップ領域５ａ１の近くのユーザインタフェース画面上に、複製設定領域５ａ２および複製起動領域５ａ３（図３Ａ参照）が表示される。複製設定領域５ａ２は、全ての選択可能な複製システム（すなわち、モバイルデバイスに無線接続することによって２つ以上の複製システムが印刷用に利用可能になる）、メディアソース、スケーリングパーセント入力フィールド、コピー数、仕上げオプション設定、紙折り設定、プリンタ情報設定などを含んでもよい。コピー数は、複製設定領域５ａ２に配置されるのではなく、複製起動領域５ａ３に配置されてもよい。複製設定は、オプションの中間のステップで変更可能である。
【００３８】
第４のステップＳ７４０において、複製起動領域５ａ３がクリックされる。第５のステップＳ７５０において、選択された複製装置にドキュメントが提出される。第６のステップＳ７６０において、デスクトップ領域５ａ１のドキュメントが閉じられる。第５のステップＳ７５０および第６のステップＳ７６０は入れ替えられてもよいし、同時に実行されてもよい。ドキュメントが閉じられると、変更された複製設定はモバイルデバイス１のメモリ３に記憶され、対応するデジタルドキュメントおよび対応する表現にリンクされる。このようにすることで、同じドキュメントの次の複製動作を行う場合に、複製設定が保存されて、利用できるようになる。コピー数のための保存された複製設定は、ドキュメントの不必要なコピーを防ぐことができるように、同じドキュメントを再び開く場合にはデフォルトに設定されてもよい。
【００３９】
第７のステップＳ７７０において、デスクトップ領域５ａ１に表現が表示される。表現は、閉じられたドキュメントを表している。表現は、記憶されているドキュメントへのリンクを使用してフェッチされる。表現は、サムネイル画像、アイコン、もしくはファイル名にすることができる。
【００４０】
デスクトップ領域５ａ１の表現は、クリックすることで選択可能である。表現が選択されて、複製起動領域がクリックされると、選択された表現に対応するドキュメントが複製のために複製装置に提出される。提出および複製する時に、表現は、最大でデスクトップ領域５ａ１と同じサイズのプレビューに置き換えられる。複製後、プレビューは表現と置き換えられる。
【００４１】
表現は、上述したように、デスクトップ領域５ａ１の任意の位置にドラッグされてもよい。このようにして、ユーザは自分の希望通りに複数の表現を整理することができる。
【図１Ａ】
2015533242.tif 000003
【図１Ｂ】
2015533242.tif 000004
【図２Ａ】
2015533242.tif 000005
【図２Ｂ】
2015533242.tif 000006
【図３Ａ】
2015533242.tif 000007
【図３Ｂ】
2015533242.tif 000008
【図４】
2015533242.tif 000009
【図５】
2015533242.tif 000010
【図６】
2015533242.tif 000011
【図７】
2015533242.tif 000012
【図８】
2015533242.tif 000013
【国際調査報告】
2015533242.tif 000014
2015533242.tif 000015